(57)【要約】【課題】  電子キーシステムにおける電子キーとしての携帯機を紛失しても、その携帯機を容易に見つけることができるようにする。【解決手段】  電子キーシステムの携帯機を捜索するための捜索システムは、携帯機と、それとは別の携帯型機器（例えば、携帯電話機やＰＤＡ）とからなり、携帯型機器は、予め定められた捜索用操作がされると（Ｓ１１１：ＹＥＳ）、捜索用信号を送信する（Ｓ１１３）。そして、携帯機は、上記捜索用信号を受信すると（Ｓ１２１：ＹＥＳ）、特定の音（例えばブザー音）と振動とを発生させる（Ｓ１２３）。このため、使用者は、携帯機をどこにしまったのか忘れた際に、携帯型機器に対して捜索用操作を行えば、携帯機が、携帯型機器からの捜索用信号を受信して特定の音と振動を発生させることとなり、使用者は、その音と振動によって、携帯機の位置を容易に知ることができる。【選択図】  図２
2006045993.tif 000002
【特許請求の範囲】
【請求項１】
電子キーシステムの携帯機を捜索するための捜索システムであって、
前記携帯機と、前記携帯機とは別の携帯型機器とからなり、
前記携帯機には、前記携帯型機器から送信される捜索用信号を受信すると、当該携帯機の現在位置を報知するための報知用動作を行う報知用動作実施手段が備えられ、
前記携帯型機器には、予め定められた操作がされると、前記捜索用信号を送信する捜索用信号送信手段が備えられていること、
を特徴とする携帯機の捜索システム。
【請求項２】
請求項１に記載の携帯機の捜索システムにおいて、
前記報知用動作実施手段は、前記報知用動作として、音と振動との少なくとも一方を発生すること、
を特徴とする携帯機の捜索システム。
【請求項３】
請求項１に記載の携帯機の捜索システムにおいて、
前記報知用動作実施手段は、前記報知用動作として、ＧＰＳ信号を受信すると共に、その受信したＧＰＳ信号から算出した現在位置又はその受信したＧＰＳ信号の内容を示す信号を、前記携帯型機器へ応答信号として送信し、
前記携帯型機器は、前記応答信号に基づいて、当該携帯型機器の表示部に前記携帯機の現在位置情報を表示させること、
を特徴とする携帯機の捜索システム。
【請求項４】
請求項１に記載の携帯機の捜索システムにおいて、
前記報知用動作実施手段は、前記報知用動作として、前記携帯型機器へ前記捜索用信号に対する応答信号を送信し、
前記携帯型機器は、前記応答信号の受信強度に基づいて、当該携帯型機器の表示部に前記携帯機との距離を表す情報を表示させること、
を特徴とする携帯機の捜索システム。
【請求項５】
請求項１に記載の携帯機の捜索システムにおいて、
前記携帯機にはカメラが備えられており、
前記報知用動作実施手段は、前記報知用動作として、前記カメラに当該携帯機の周辺を撮影させると共に、その撮影した画像データを前記携帯型機器へ送信し、
前記携帯型機器は、前記画像データの表す画像を、当該携帯型機器の表示部に表示させること、
を特徴とする携帯機の捜索システム。
【請求項６】
電子キーシステムの携帯機であって、
外からの音を入力するための音入力手段と、
前記音入力手段により入力された音が予め登録された音であるか否かを判定する判定手段と、
前記判定手段により肯定判定された場合に、当該携帯機の現在位置を報知するための報知用動作を行う報知用動作実施手段と、
を備えていることを特徴とする電子キーシステムの携帯機。
【請求項７】
電子キーシステムの携帯機であって、
外からの音を入力するための音入力手段と、
前記音入力手段により入力された音の大きさが規定値以上であるか否かを判定する判定手段と、
前記判定手段により肯定判定された場合に、当該携帯機の現在位置を報知するための報知用動作を行う報知用動作実施手段と、
を備えていることを特徴とする電子キーシステムの携帯機。
【請求項８】
請求項６又は請求項７に記載の電子キーシステムの携帯機において、
前記報知用動作実施手段は、前記報知用動作として、音と振動との少なくとも一方を発生すること、
を特徴とする電子キーシステムの携帯機。
【請求項９】
電子キーシステムの携帯機を捜索するための捜索システムであって、
前記携帯機と、前記携帯機とは別の携帯型機器とからなり、
前記携帯機には、
カメラと、
予め定められた撮影用操作がされると、前記カメラを作動させて、そのカメラにより撮影した画像データを記憶手段に記憶させる場所情報記憶制御手段と、
前記携帯型機器から送信される捜索用信号を受信すると、前記記憶手段に記憶されている画像データを前記携帯型機器へ送信する応答手段とが備えられており、
前記携帯型機器は、
予め定められた操作がされると、前記捜索用信号を送信すると共に、その捜索用信号に応答して前記携帯機から送信される前記画像データを受信して、その画像データの表す画像を当該携帯型機器の表示部に表示させること、
を特徴とする携帯機の捜索システム。
【請求項１０】
電子キーシステムの携帯機を捜索するための捜索システムであって、
前記携帯機と、前記携帯機とは別の携帯型機器とからなり、
前記携帯機には、
カメラと、
予め定められた撮影用操作がされると、前記カメラを作動させて、そのカメラにより撮影した画像データを前記携帯型機器へ送信する場所情報送信手段とが備えられており、
前記携帯型機器は、
前記携帯機から送信される前記画像データを受信して記憶手段に記憶すると共に、
予め定められた操作がされると、前記記憶手段に記憶されている画像データの表す画像を当該携帯型機器の表示部に表示させること、
を特徴とする携帯機の捜索システム。
【請求項１１】
電子キーシステムの携帯機を捜索するための捜索システムであって、
前記携帯機と、前記携帯機とは別の携帯型機器とからなり、
前記携帯機には、
当該携帯機の保管場所を使用者が入力するための保管場所入力手段と、
前記保管場所入力手段により当該携帯機の保管場所が入力されると、その入力された保管場所を記憶手段に記憶させる場所情報記憶制御手段と、
前記携帯型機器から送信される捜索用信号を受信すると、前記記憶手段に記憶されている保管場所を表す信号を前記携帯型機器へ送信する応答手段とが備えられており、
前記携帯型機器は、
予め定められた操作がされると、前記捜索用信号を送信すると共に、その捜索用信号に応答して前記携帯機から送信される前記信号を受信して、その信号の表す保管場所を当該携帯型機器の表示部に表示させること、
を特徴とする携帯機の捜索システム。
【請求項１２】
電子キーシステムの携帯機を捜索するための捜索システムであって、
前記携帯機と、前記携帯機とは別の携帯型機器とからなり、
前記携帯機には、
当該携帯機の保管場所を使用者が入力するための保管場所入力手段と、
前記保管場所入力手段により当該携帯機の保管場所が入力されると、その入力された保管場所を表す信号を前記携帯型機器へ送信する場所情報送信手段とが備えられており、
前記携帯型機器は、
前記携帯機から送信される前記信号を受信して、その信号が表す前記携帯機の保管場所を記憶手段に記憶すると共に、
予め定められた操作がされると、前記記憶手段に記憶されている保管場所を当該携帯型機器の表示部に表示させること、
を特徴とする携帯機の捜索システム。
【発明の詳細な説明】
【技術分野】
【０００１】
本発明は、電子キーシステムの携帯機に関するものである。
【背景技術】
【０００２】
従来より、例えば自動車においては、車両の使用者に携帯される電子キーとしての携帯機が、車載装置から送信される要求（送信要求信号）に応答して、認証用のコードを含んだ返送信号を送信し、車載装置が、携帯機から受信したコードと当該車載装置のメモリ内に予め登録されているコードとが一致していれば、ドアのアンロック／ロックやエンジンの始動又はそれらの許可といった所定の動作を行う電子キーシステムが知られている。そして、このような電子キーシステムは、一般にスマートキーシステムやスマートキーレスエントリーシステムと呼ばれている（例えば、特許文献１，２参照）。
【特許文献１】特開２０００−１７０４２０号公報
【特許文献２】特開２００３−１５７４８３号公報（段落［００３５］〜［００３８］）
【発明の開示】
【発明が解決しようとする課題】
【０００３】
上記のような電子キーシステムでは、使用者は、携帯機に対して意識的な操作を行わなくても、それを携帯しているだけで、所望の機能動作（ドアのアンロック、ロック等）が実現されるため、その携帯機をカバンや財布や上着のポケット等に入れたままにすることが多くなる。
【０００４】
このため、使用者は、携帯機をどこにしまったのか忘れてしまうことが多くなり、そのような場合には、紛失した携帯機を容易に探し出せず困ることとなる。
本発明は、こうした問題に鑑みなされたものであり、電子キーシステムにおける電子キーとしての携帯機を紛失しても、その携帯機を容易に見つけることができるようにすることを目的としている。
【課題を解決するための手段】
【０００５】
上記目的を達成するためになされた請求項１記載の捜索システムは、電子キーシステムの携帯機（詳しくは、電子キーシステムにおける電子キーとしての携帯機）を捜索するためのものであり、その携帯機と、その携帯機とは別の携帯型機器とからなる。
【０００６】
そして、携帯機には、携帯型機器から送信される捜索用信号を受信すると、当該携帯機の現在位置を報知するための報知用動作を行う報知用動作実施手段が備えられており、携帯型機器には、予め定められた操作がされると、前記捜索用信号を送信する捜索用信号送信手段が備えられている。
【０００７】
尚、携帯機とは別の携帯型機器としては、携帯型の機器であれば何でも良く、例えば、携帯電話機やＰＤＡ（Personal Digital Assistants：情報携帯端末）といった所謂モバイル機器、或いは、テレビ、エアコン、車載ナビゲーション装置といった他の機器用のリモコンや当該捜索システムに専用のリモコンなどが考えられる。
【０００８】
このような請求項１の捜索システムによれば、使用者は、携帯機をどこにしまったのか忘れた際に、携帯型機器に対して予め定められた操作を行えば、その携帯型機器の捜索用信号送信手段により捜索用信号が送信され、携帯機側では、その捜索用信号を受信すると、報知用動作実施手段が、当該携帯機の現在位置を報知するための報知用動作を行うこととなる。このため、使用者は、その報知用動作に基づいて、紛失した携帯機を容易に探し出すことができるようになる。
【０００９】
ここで、請求項１の捜索システムの具体的構成例としては、請求項２に記載の如く、携帯機の報知用動作実施手段は、報知用動作として、音と振動との少なくとも一方（即ち、音と振動との両方又は一方）を発生するように構成することができる。そして、この構成によれば、使用者は、携帯機から発せられる音と振動との少なくとも一方により、その携帯機の位置を容易に知ることができる。
【００１０】
また、請求項１の捜索システムの具体的構成例としては、請求項３に記載の如く、携帯機の報知用動作実施手段は、報知用動作として、ＧＰＳ信号（即ち、ＧＰＳ衛星からの信号）を受信すると共に、その受信したＧＰＳ信号から算出した現在位置又はその受信したＧＰＳ信号の内容を示す信号を、携帯型機器へ応答信号として送信し、携帯型機器は、その携帯機からの応答信号に基づいて、当該携帯型機器の表示部に、その携帯機の現在位置情報を表示させるように構成することができる。そして、この構成によれば、使用者は、携帯型機器の表示部に表示される情報から、携帯機の位置を容易に知ることができる。
【００１１】
尚、携帯型機器の表示部に表示させる携帯機の現在位置情報としては、携帯機の位置座標（緯度、経度）でも良いが、携帯機の位置を一層分かり易くするのであれば、例えば、車載ナビゲーション装置と同様に、携帯機の現在位置を含む地図を表示すると共に、その表示地図上に、携帯機の現在位置を特定のマークなどで識別可能に表示するように構成すれば良い。また、携帯機が、受信したＧＰＳ信号から現在位置を算出して、その現在位置を示す信号を応答信号として送信するのであれば、携帯型機器は、その応答信号から携帯機の現在位置をそのまま把握することができる。また、携帯機が、受信したＧＰＳ信号から現在位置を算出せずに、そのＧＰＳ信号の内容を示す信号を応答信号として送信するのであれば、携帯型機器は、その応答信号から携帯機の現在位置を算出すれば良い。
【００１２】
一方また、請求項１の捜索システムの具体的構成例としては、請求項４に記載の如く、携帯機の報知用動作実施手段は、報知用動作として、携帯型機器へ捜索用信号に対する応答信号を送信し、携帯型機器は、その携帯機からの応答信号の受信強度に基づいて、当該携帯型機器の表示部に、携帯機との距離を表す情報を表示させるように構成することができる。そして、この構成によれば、使用者は、携帯型機器の表示部に表示される情報から、携帯機との距離を知ることができ、その距離をたよりにして携帯機を容易に探し出すことができるようになる。
【００１３】
尚、携帯型機器は、携帯機との距離を表す情報（以下、距離情報という）として、表示部に、例えば、携帯機からの応答信号の受信強度をそのまま表示するように構成しても良い。この場合、表示部に表示される受信強度を距離に換算する換算表を事前に用意しておけば、使用者は、その換算表から、携帯機との距離を知ることができるからである。また、携帯型機器は、携帯機からの応答信号の受信強度に基づいて携帯機との距離を算出し、その算出した距離の値を、距離情報として表示部に表示させるように構成すれば、使用者は、その表示内容を見るだけで携帯機との距離を知ることができ、使い勝手が向上する。
【００１４】
また、請求項１の捜索システムは、具体的には、請求項５に記載の如く構成することもできる。
即ち、請求項５の捜索システムでは、携帯機にカメラが備えられている。そして、携帯機の報知用動作実施手段は、報知用動作として、そのカメラに当該携帯機の周辺を撮影させると共に、その撮影した画像データを携帯型機器へ送信し、携帯型機器は、その携帯機からの画像データの表す画像を、当該携帯型機器の表示部に表示させる。
【００１５】
そして、この構成によれば、使用者は、携帯型機器の表示部に表示される画像から、紛失した携帯機の位置を容易に知ることができる。
次に、上記目的を達成するためになされた請求項６記載の電子キーシステムの携帯機（詳しくは、電子キーシステムにおける電子キーとしての携帯機）では、音入力手段が外からの音を入力し、判定手段が、その音入力手段により入力された音が予め登録された音であるか否かを判定する。そして、その判定手段により肯定判定された場合（つまり、音入力手段により入力された音が予め登録された音であると判定された場合）に、報知用動作実施手段が、当該携帯機の現在位置を報知するための報知用動作を行う。
【００１６】
このような請求項６の携帯機によれば、使用者は、その携帯機をどこにしまったのか忘れた際に、予め登録された音と同じ音（例えば、音質や言葉）を発生させれば、携帯機の報知用動作実施手段が、その携帯機の現在位置を報知するための報知用動作を行うこととなる。このため、使用者は、その報知用動作に基づいて、紛失した携帯機を容易に探し出すことができるようになる。
【００１７】
また、上記目的を達成するためになされた請求項７記載の電子キーシステムの携帯機（詳しくは、電子キーシステムにおける電子キーとしての携帯機）では、音入力手段が外からの音を入力し、判定手段が、その音入力手段により入力された音の大きさが規定値以上であるか否かを判定する。そして、その判定手段により肯定判定された場合（つまり、音入力手段により入力された音の大きさが規定値以上であると判定された場合）に、報知用動作実施手段が、当該携帯機の現在位置を報知するための報知用動作を行う。
【００１８】
このような請求項７の携帯機によれば、使用者は、その携帯機をどこにしまったのか忘れた際に、大きな音（つまり、携帯機の判定手段で肯定判定される程の音）を発生させれば、携帯機の報知用動作実施手段が、その携帯機の現在位置を報知するための報知用動作を行うこととなる。このため、使用者は、その報知用動作に基づいて、紛失した携帯機を容易に探し出すことができるようになる。
【００１９】
尚、請求項６又は７の携帯機において、報知用動作実施手段は、報知用動作として、請求項８に記載の如く、音と振動との少なくとも一方（即ち、音と振動との両方又は一方）を発生するように構成すれば、使用者は、携帯機から発せられる音と振動との少なくとも一方により、その携帯機の位置を容易に知ることができる。
【００２０】
次に、請求項９記載の捜索システムも、請求項１の捜索システムと同様に、電子キーシステムの携帯機を捜索するためのものであり、その携帯機と、その携帯機とは別の携帯型機器とからなる。
【００２１】
そして、携帯機には、カメラと、予め定められた撮影用操作がされると、そのカメラを作動させて、そのカメラにより撮影した画像データを記憶手段に記憶させる場所情報記憶制御手段と、携帯型機器から送信される捜索用信号を受信すると、前記記憶手段に記憶されている画像データを携帯型機器へ送信する応答手段とが備えられている。
【００２２】
また、携帯型機器は、予め定められた操作がされると、前記捜索用信号を送信すると共に、その捜索用信号に応答して携帯機から送信される画像データを受信して、その画像データの表す画像を当該携帯型機器の表示部に表示させるようになっている。
【００２３】
このような請求項９の捜索システムの使い方は、以下の通りである。
まず、使用者は、携帯機を保管する際に、その携帯機に対し撮影用操作を行って、カメラにより保管場所を撮影しておく。すると、その撮影した画像データは、携帯機内の記憶手段に記憶されることとなる。
【００２４】
そして、使用者は、携帯機をどこにしまったのか忘れた際に、携帯型機器に対して予め定められた操作を行えば良い。
つまり、その操作により、携帯型機器は、捜索用信号を送信することとなり、携帯機側では、その捜索用信号を受信すると、応答手段が、記憶手段に記憶されている画像データ（即ち、携帯機の保管場所を撮影した画像データ）を携帯型機器へ送信することとなる。そして、携帯型機器は、その画像データを受信して、その画像データの表す画像を当該携帯型機器の表示部に表示させるため、使用者は、その表示部に表示される画像から、紛失した携帯機の保管場所を知ることができるのである。
【００２５】
ところで、請求項９の捜索システムでは、携帯機の保管場所を撮影した画像データを、携帯機側の記憶手段に記憶しておくように構成しているが、その画像データは、請求項１０に記載のように、携帯型機器側の記憶手段に記憶しておくように構成しても良い。
【００２６】
即ち、請求項１０の捜索システムでは、携帯機に、カメラと、場所情報送信手段とが備えられており、その場所情報送信手段は、予め定められた撮影用操作がされると、カメラを作動させて、そのカメラにより撮影した画像データを携帯型機器へ送信する。そして、携帯型機器は、携帯機から送信される画像データを受信して記憶手段に記憶すると共に、予め定められた操作がされると、その記憶手段に記憶されている画像データの表す画像を当該携帯型機器の表示部に表示させるようになっている。
【００２７】
そして、このような請求項１０の捜索システムの使い方も、前述した請求項９の捜索システムの使い方と同じである。
即ち、まず、使用者は、携帯機を保管する際に、その携帯機に対し撮影用操作を行って、カメラにより保管場所を撮影しておく。すると、その撮影した画像データは、携帯型機器へと送信され、その携帯型機器内の記憶手段に記憶されることとなる。
【００２８】
そして、使用者は、携帯機をどこにしまったのか忘れた際に、携帯型機器に対して予め定められた操作を行えば、その携帯型機器が、記憶手段に記憶されている画像データ（即ち、携帯機の保管場所を撮影した画像データ）の表す画像を当該携帯型機器の表示部に表示させるため、使用者は、その表示部に表示される画像から、紛失した携帯機の保管場所を知ることができる。
【００２９】
このような請求項１０の捜索システムによれば、携帯機側に画像データを記憶しておくための記憶手段を設けなくて良いため、その分、携帯機を小型化するのに有利である。
一方、請求項１１記載の捜索システムも、請求項１，９，１０の捜索システムと同様に、電子キーシステムの携帯機を捜索するためのものであり、その携帯機と、その携帯機とは別の携帯型機器とからなる。
【００３０】
そして、携帯機には、当該携帯機の保管場所を使用者が入力するための保管場所入力手段と、その保管場所入力手段により当該携帯機の保管場所が入力されると、その入力された保管場所を記憶手段に記憶させる場所情報記憶制御手段と、携帯型機器から送信される捜索用信号を受信すると、前記記憶手段に記憶されている保管場所を表す信号を携帯型機器へ送信する応答手段とが備えられている。
【００３１】
また、携帯型機器は、予め定められた操作がされると、前記捜索用信号を送信すると共に、その捜索用信号に応答して携帯機から送信される前記信号（記憶手段に記憶されている保管場所を表す信号）を受信して、その信号の表す保管場所を当該携帯型機器の表示部に表示させるようになっている。
【００３２】
このような請求項１１の捜索システムの使い方は、以下の通りである。
まず、使用者は、携帯機を保管する際に、その携帯機の保管場所入力手段を操作して、その携帯機の保管場所を入力しておく。すると、その入力された保管場所は、携帯機内の記憶手段に記憶されることとなる。
【００３３】
そして、使用者は、携帯機をどこにしまったのか忘れた際に、携帯型機器に対して予め定められた操作を行えば良い。
つまり、その操作により、携帯型機器は、捜索用信号を送信することとなり、携帯機側では、その捜索用信号を受信すると、応答手段が、記憶手段に記憶されている保管場所を表す信号を携帯型機器へ送信することとなる。そして、携帯型機器は、その携帯機からの信号を受信して、その信号の表す保管場所を当該携帯型機器の表示部に表示させるため、使用者は、その表示部に表示される保管場所から、紛失した携帯機の保管場所を知ることができるのである。
【００３４】
ところで、請求項１１の捜索システムでは、携帯機の保管場所を、携帯機側の記憶手段に記憶しておくように構成しているが、その保管場所は、請求項１２に記載のように、携帯型機器側の記憶手段に記憶しておくように構成しても良い。
【００３５】
即ち、請求項１２の捜索システムでは、携帯機に、当該携帯機の保管場所を使用者が入力するための保管場所入力手段と、場所情報送信手段とが備えられており、その場所情報送信手段は、保管場所入力手段により当該携帯機の保管場所が入力されると、その入力された保管場所を表す信号を携帯型機器へ送信する。そして、携帯型機器は、携帯機から送信される前記信号を受信して、その信号が表す携帯機の保管場所を記憶手段に記憶すると共に、予め定められた操作がされると、その記憶手段に記憶されている保管場所を当該携帯型機器の表示部に表示させるようになっている。
【００３６】
そして、このような請求項１２の捜索システムの使い方も、前述した請求項１１の捜索システムの使い方と同じである。
即ち、まず、使用者は、携帯機を保管する際に、その携帯機の保管場所入力手段を操作して、その携帯機の保管場所を入力しておく。すると、その入力された保管場所を表す信号が携帯型機器へと送信され、その信号の表す保管場所が、携帯型機器内の記憶手段に記憶されることとなる。
【００３７】
そして、使用者は、携帯機をどこにしまったのか忘れた際に、携帯型機器に対して予め定められた操作を行えば、その携帯型機器が、記憶手段に記憶されている保管場所を当該携帯型機器の表示部に表示させるため、使用者は、その表示部に表示される内容から、紛失した携帯機の保管場所を知ることができる。
【００３８】
このような請求項１２の捜索システムによれば、携帯機側に保管場所を記憶しておくための記憶手段を設けなくて良いため、その分、携帯機を小型化するのに有利である。
【発明を実施するための最良の形態】
【００３９】
以下に、本発明が適用された実施形態の携帯機の捜索システムについて説明する。尚、本実施形態で捜索対象としている携帯機は、自動車用の電子キーシステムにおいて、使用者に電子キーとして携帯されるものである。そして、その電子キーシステムは、車両周囲の無線通信エリア内に正規の携帯機（即ち、その車両に専用の携帯機）が入るとドアをアンロックするための処理が行われるスマートキーシステム（スマートキーレスエントリーシステム）と、使用者がその正規の携帯機に設けられているボタンを押すことでドアのロック／アンロックが行われるリモートキーレスエントリーシステム（以下、ＲＫＥという）とを兼ねたものである。
【００４０】
［第１実施形態］
まず図１は、第１実施形態の捜索システムの構成を表す構成図である。
図１に示すように、第１実施形態の捜索システムは、電子キーシステムの携帯機１１と、その携帯機１１とは別の携帯型機器１３とからなる。
【００４１】
ここで、本実施形態において、携帯型機器１３は、携帯電話機やＰＤＡなどのモバイル機器であるが、携帯型の機器であれば何でも良く、例えば、テレビやエアコンといった他の機器用のリモコン、或いは、当該捜索システムに専用のリモコンでも良い。
【００４２】
また、携帯機１１が用いられる電子キーシステムの機能（スマートキーシステムとＲＫＥの機能）は周知のものであるが、その概要を説明しておく。尚、車両側には、車両周囲の無線通信エリアへ送信要求信号を送信する送信機（車載送信機）と、携帯機１１からの無線電波を受信する受信機（車載受信機）と、その送信機及び受信機に接続された制御装置（車載制御装置）とが設けられている。
【００４３】
（１）まず、スマートキーシステムの機能概要について説明する。
（１−１）車載制御装置は、車載送信機から定期的に送信要求信号を送信させる。
（１−２）また、携帯機１１は、車載送信機からの送信要求信号を受信可能な無線通信エリア内に入って、その送信要求信号を受信すると、返送信号として、その携帯機１１に対応する車両に固有のスマート用ＩＤコードを含んだスマート用電波を送信する。
【００４４】
（１−３）そして、車載制御装置は、車両の全ドアが閉状態でロックされている駐車時において、携帯機１１からの上記スマート用電波が車載受信機により受信されると、その受信された電波に含まれていたスマート用ＩＤコードが当該制御装置に記憶されているスマート用ＩＤコード（即ち、当該制御装置が搭載された車両に固有のスマート用ＩＤコード）と一致しているか否かの認証判定を行い、一致していたならば、ドアのアンロックを許可した状態となる。そして更に、そのアンロック許可状態で、例えば運転席ドアの外側のドアノブに設けられているタッチセンサからの信号により、人がそのドアノブを触ったことを検知すると、ドアロックモータを駆動して全ドアをアンロック状態にする。
【００４５】
（２）次に、ＲＫＥの機能概要について説明する。
（２−１）ＲＫＥでは、車両の使用者が携帯機１１のロック用ボタン１５ａ又はアンロック用ボタン１５ｂを押すと、携帯機１１から、その携帯機１１に対応する車両に固有のＲＫＥ用ＩＤコードを含んだＲＫＥ用電波が送信される。また、携帯機１１のボタン１５ａ，１５ｂのうち、ロック用ボタン１５ａが押された場合には、ＲＫＥ用電波にロックを示す動作指示情報が含まれ、アンロック用ボタン１５ｂが押された場合には、ＲＫＥ用電波にアンロックを示す動作指示情報が含まれることとなる。尚、携帯機１１のボタン１５ａ，１５ｂは、押されることでオンするボタンタイプのスイッチである。
【００４６】
（２−２）そして、車載制御装置は、携帯機１１からのＲＫＥ用電波が車載受信機により受信されると、その受信された電波に含まれていたＲＫＥ用ＩＤコードが当該制御装置に記憶されているＲＫＥ用ＩＤコード（即ち、当該制御装置が搭載された車両に固有のＲＫＥ用ＩＤコード）と一致しているか否かの認証判定を行い、一致していたならば、その受信した電波にＲＫＥ用ＩＤコードと一緒に含まれていた上記動作指示情報に応じて、ドアロックモータを駆動して全ドアをロック又はアンロック状態にする。
【００４７】
次に、本第１実施形態の捜索システムにおいて、携帯機１１には、携帯型機器１３と無線通信するためのアンテナ１７及び送受信部１９と、外からの音を入力するためのマイクからなる音入力部２１と、音を出すためのスピーカからなる音出力部２３と、ＧＰＳ衛星からのＧＰＳ信号を受信するためのアンテナ２５及びＧＰＳ受信部２７と、当該携帯機１１の周辺を撮影するためのカメラからなる撮影部２９と、振動を発生させるモータ等からなる振動部３１と、当該携帯機１１の動作を司るマイコンからなる制御部３３とが備えられている。尚、アンテナ１７及び送受信部１９は、前述した車載制御装置と無線通信するためのアンテナ及び送受信部とは別のものであっても、それらと共用のものであっても、何れでも良い。
【００４８】
また、携帯型機器１３には、携帯機１１と無線通信するためのアンテナ３７及び送受信部３９と、液晶ディスプレイ等からなる表示部４１と、捜索用ボタン４３や複数通りの数字ボタン（数字が記載されたボタン）を含む複数のボタン（キー）が配列された操作部４５と、携帯機１１を捜索するための当該携帯型機器１３の動作を司るマイコンからなる制御部４７とが備えられている。
【００４９】
次に、携帯型機器１３の制御部４７と、携帯機１１の制御部３３との各々にて、使用者が携帯機１１を容易に見つけ出すことができるようにするために実施される処理の内容について、図２〜図６のフローチャートを用い説明する。
【００５０】
まず、図２は、第１の捜索機能を実現するために実行される処理を表すフローチャートであり、（Ａ）が携帯型機器１３の制御部４７で実施される処理を表し、（Ｂ）が携帯機１１の制御部３３で実施される処理を表している。
【００５１】
図２（Ａ）に示すように、携帯型機器１３の制御部４７は、Ｓ１１１にて、使用者により第１の捜索用操作が行われたか否かを判定して、その第１の捜索用操作があるまで待機する。尚、第１の捜索用操作としては、例えば、操作部４５のボタンのうち、まず捜索用ボタン４３が押され、次に数字が「１」のボタンが押される、といった操作である。
【００５２】
そして、第１の捜索用操作が行われたならば（Ｓ１１１：ＹＥＳ）、次のＳ１１３にて、送受信部３９に第１の捜索機能を示す送信対象データを与えて、アンテナ３７からそのデータを含んだ第１の捜索用信号を送信させ、その後、Ｓ１１１へ戻る。
【００５３】
一方、図２（Ｂ）に示すように、携帯機１１の制御部３３は、Ｓ１２１にて、携帯型機器１３からの上記第１の捜索用信号がアンテナ１７及び送受信部１９によって受信されたか否かを判定して、その第１の捜索用信号が受信されるまで待機する。
【００５４】
そして、第１の捜索用信号が受信されると（Ｓ１２１：ＹＥＳ）、次のＳ１２３にて、一定時間の間、音出力部２３から特定の音（本実施形態ではブザー音）を発生させると共に、振動部３１に振動を発生させ、その後、Ｓ１２１へ戻る。
【００５５】
次に、図３は、第２の捜索機能を実現するために実行される処理を表すフローチャートであり、（Ａ）が携帯型機器１３の制御部４７で実施される処理を表し、（Ｂ）が携帯機１１の制御部３３で実施される処理を表している。
【００５６】
図３（Ａ）に示すように、携帯型機器１３の制御部４７は、Ｓ２１１にて、使用者により第２の捜索用操作が行われたか否かを判定して、その第２の捜索用操作があるまで待機する。尚、第２の捜索用操作としては、例えば、操作部４５のボタンのうち、まず捜索用ボタン４３が押され、次に数字が「２」のボタンが押される、といった操作である。
【００５７】
そして、第２の捜索用操作が行われたならば（Ｓ２１１：ＹＥＳ）、次のＳ２１３にて、送受信部３９に第２の捜索機能を示す送信対象データを与えて、アンテナ３７からそのデータを含んだ第２の捜索用信号を送信させる。
【００５８】
すると、携帯機１１からは、後述する図３（Ｂ）におけるＳ２２５の処理により、その携帯機１１の現在位置を示す位置データ信号が応答信号として返送されるため、携帯型機器１３の制御部４７は、次のＳ２１５にて、上記Ｓ２１３で第２の捜索用信号を送信してから規定時間以内に、携帯機１１からの位置データ信号がアンテナ３７及び送受信部３９によって受信されたか否かを判定する。
【００５９】
そして、携帯機１１からの位置データ信号が受信されなければ（Ｓ２１５：ＮＯ）、そのままＳ２１１へ戻るが、位置データ信号が受信されたならば（Ｓ２１５：ＹＥＳ）、Ｓ２１７に進んで、その受信された位置データ信号に基づいて、表示部４１に、携帯機１１の現在位置情報を表示させる。具体的には、表示部４１に、携帯機１１の現在位置を含む地図を表示させると共に、その表示地図上に、携帯機１１の現在位置を特定のマーク及び色で識別可能に表示させる。そして、その後、Ｓ２１１へ戻る。
【００６０】
一方、図３（Ｂ）に示すように、携帯機１１の制御部３３は、Ｓ２２１にて、携帯型機器１３からの上記第２の捜索用信号がアンテナ１７及び送受信部１９によって受信されたか否かを判定して、その第２の捜索用信号が受信されるまで待機する。
【００６１】
そして、第２の捜索用信号が受信されると（Ｓ２２１：ＹＥＳ）、次のＳ２２３にて、アンテナ２５及びＧＰＳ受信部２７によりＧＰＳ衛星からのＧＰＳ信号を受信する。更に続くＳ２２５にて、その受信したＧＰＳ信号から当該携帯機１１の現在位置を算出し、その現在位置を示す位置データを送受信部１９に与えて、アンテナ１７からその位置データを含んだ位置データ信号を応答信号として送信させ、その後、Ｓ２２１へ戻る。
【００６２】
次に、図４は、第３の捜索機能を実現するために実行される処理を表すフローチャートであり、（Ａ）が携帯型機器１３の制御部４７で実施される処理を表し、（Ｂ）が携帯機１１の制御部３３で実施される処理を表している。
【００６３】
図４（Ａ）に示すように、携帯型機器１３の制御部４７は、Ｓ３１１にて、使用者により第３の捜索用操作が行われたか否かを判定して、その第３の捜索用操作があるまで待機する。尚、第３の捜索用操作としては、例えば、操作部４５のボタンのうち、まず捜索用ボタン４３が押され、次に数字が「３」のボタンが押される、といった操作である。
【００６４】
そして、第３の捜索用操作が行われたならば（Ｓ３１１：ＹＥＳ）、次のＳ３１３にて、送受信部３９に第３の捜索機能を示す送信対象データを与えて、アンテナ３７からそのデータを含んだ第３の捜索用信号を送信させる。
【００６５】
すると、携帯機１１からは、後述する図４（Ｂ）におけるＳ３２３の処理により、第３の捜索用信号を受信したことを示す応答信号としてのＡＣＫ（ACKnowledgement）信号が返送されるため、携帯型機器１３の制御部４７は、次のＳ３１５にて、上記Ｓ３１３で第３の捜索用信号を送信してから規定時間以内に、携帯機１１からのＡＣＫ信号がアンテナ３７及び送受信部３９によって受信されたか否かを判定する。
【００６６】
そして、携帯機１１からのＡＣＫ信号が受信されなければ（Ｓ３１５：ＮＯ）、そのままＳ３１１へ戻るが、ＡＣＫ信号が受信されたならば（Ｓ３１５：ＹＥＳ）、Ｓ３１７に進み、その受信されたＡＣＫ信号の受信強度に基づいて携帯機１１との距離を算出し、その算出した距離の値を、距離情報として表示部４１に表示させ、その後、Ｓ３１１へ戻る。
【００６７】
一方、図４（Ｂ）に示すように、携帯機１１の制御部３３は、Ｓ３２１にて、携帯型機器１３からの上記第３の捜索用信号がアンテナ１７及び送受信部１９によって受信されたか否かを判定して、その第３の捜索用信号が受信されるまで待機する。
【００６８】
そして、第３の捜索用信号が受信されると（Ｓ３２１：ＹＥＳ）、次のＳ３２３にて、第３の捜索用信号を受信したことを示すＡＣＫ用のデータを送受信部１９に与えて、アンテナ１７からそのデータを含んだＡＣＫ信号を送信させる。そして、その後、Ｓ３２１へ戻る。
【００６９】
次に、図５は、第４の捜索機能を実現するために実行される処理を表すフローチャートであり、（Ａ）が携帯型機器１３の制御部４７で実施される処理を表し、（Ｂ）が携帯機１１の制御部３３で実施される処理を表している。
【００７０】
図５（Ａ）に示すように、携帯型機器１３の制御部４７は、Ｓ４１１にて、使用者により第４の捜索用操作が行われたか否かを判定して、その第４の捜索用操作があるまで待機する。尚、第４の捜索用操作としては、例えば、操作部４５のボタンのうち、まず捜索用ボタン４３が押され、次に数字が「４」のボタンが押される、といった操作である。
【００７１】
そして、第４の捜索用操作が行われたならば（Ｓ４１１：ＹＥＳ）、次のＳ４１３にて、送受信部３９に第４の捜索機能を示す送信対象データを与えて、アンテナ３７からそのデータを含んだ第４の捜索用信号を送信させる。
【００７２】
すると、携帯機１１からは、後述する図５（Ｂ）におけるＳ４２５の処理により、携帯機１１の周辺を撮影部２９で撮影した画像データを含んだ画像データ信号が返送されるため、携帯型機器１３の制御部４７は、次のＳ４１５にて、上記Ｓ４１３で第４の捜索用信号を送信してから規定時間以内に、携帯機１１からの画像データ信号がアンテナ３７及び送受信部３９によって受信されたか否かを判定する。
【００７３】
そして、携帯機１１からの画像データ信号が受信されなければ（Ｓ４１５：ＮＯ）、そのままＳ４１１へ戻るが、画像データ信号が受信されたならば（Ｓ４１５：ＹＥＳ）、Ｓ４１７に進んで、その受信された画像データ信号に含まれている画像データの表す画像（即ち、携帯機１１の周辺を撮影した画像）を表示部４１に表示させる。そして、その後、Ｓ４１１へ戻る。
【００７４】
一方、図５（Ｂ）に示すように、携帯機１１の制御部３３は、Ｓ４２１にて、携帯型機器１３からの上記第４の捜索用信号がアンテナ１７及び送受信部１９によって受信されたか否かを判定して、その第４の捜索用信号が受信されるまで待機する。
【００７５】
そして、第４の捜索用信号が受信されると（Ｓ４２１：ＹＥＳ）、次のＳ４２３にて、撮影部２９を作動させる。すると、撮影部２９は、それの正面の風景であって、携帯機１１の周辺を撮影することとなる。
【００７６】
そして更に、続くＳ４２５にて、その撮影部２９により撮影された画像データを送受信部１９に与えて、アンテナ１７からその画像データを含んだ画像データ信号を送信させ、その後、Ｓ４２１へ戻る。
【００７７】
次に、図６は、第５の捜索機能を実現するために実行される処理を表すフローチャートであり、この処理は、携帯機１１の制御部３３で実施される。
図６に示すように、携帯機１１の制御部３３は、Ｓ５１１にて、使用者により音声登録操作が行われたか否かを判定する。尚、音声登録操作としては、例えば、ロック用ボタン１５ａとアンロック用ボタン１５ｂとが同時に且つ一定時間内に連続して２回押される、といった通常の携帯機１１の機能には関係の無い操作である。
【００７８】
そして、音声登録操作が行われていないと判定した場合には（Ｓ５１１：ＮＯ）、そのままＳ５１５へ移行するが、音声登録操作が行われたならば（Ｓ５１１：ＹＥＳ）、次のＳ５１３に進む。
【００７９】
Ｓ５１３では、上記の音声登録操作が行われてから一定時間内に音入力部２１から入力された音声を解析し、その音声が示す言葉の内容を登録音声として内部のメモリに記憶（登録）する。そして、その後、Ｓ５１５へ進む。
【００８０】
このため、使用者は、携帯機１１に対して音声登録操作を行ってから、その携帯機１１の音入力部２１に向かって所望の言葉を発すれば、その言った言葉が登録音声として携帯機１１内のメモリに記憶されることとなる。
【００８１】
一方、Ｓ５１５では、音入力部２１により入力される音を解析し、その音が上記Ｓ５１３で記憶された登録音声と同じ言葉を表す音声であるか否かを判定する。つまり、登録音声が入力されたか否かを判定するのである。
【００８２】
そして、登録音声が入力されていないと判定した場合には（Ｓ５１５：ＮＯ）、そのままＳ５１１へ戻るが、登録音声が入力されたと判定した場合には（Ｓ５１５：ＹＥＳ）、Ｓ５１７に進んで、一定時間の間、音出力部２３から特定の音（本実施形態ではブザー音）を発生させると共に、振動部３１に振動を発生させ、その後、Ｓ５１１へ戻る。
【００８３】
尚、図６のＳ５１３では、入力された音声の質（音質）もメモリに記憶するようにし、Ｓ５１５では、音入力部２１により入力される音が、Ｓ５１３で記憶された音質で且つそのＳ５１３で記憶された言葉を表す音声である場合に、登録音声が入力されたと判定するようにしても良い。
【００８４】
以上のような第１実施形態の携帯機の捜索システムによれば、使用者は、携帯機１１をどこにしまったのか忘れた際に、携帯型機器１３に対して、前述した第１〜第４の捜索用操作を行えば、紛失した携帯機１１を容易に探し出すことができる。
【００８５】
即ち、まず、携帯型機器１３に対して第１の捜索用操作を行えば、その携帯型機器１３から携帯機１１へ第１の捜索用信号が送信される（Ｓ１１１：ＹＥＳ、Ｓ１１３）。そして、携帯機１１は、その第１の捜索用信号を受信すると（Ｓ１２１：ＹＥＳ）、特定の音と振動とを発生させることとなる（Ｓ１２３）。このため、使用者は、その携帯機１１からの音と振動によって、その携帯機１１の位置を容易に知ることができる。特に、このような第１の捜索機能は、携帯機１１が使用者から比較的近い場所（例えば、着衣のポケットや携帯しているバッグの中等）にある場合に有効である。尚、携帯機１１は、図２（Ｂ）のＳ１２３にて、音と振動との何れか一方だけを発生させるように構成しても良い。
【００８６】
また、携帯型機器１３に対して第２の捜索用操作を行えば、その携帯型機器１３から携帯機１１へ第２の捜索用信号が送信される（Ｓ２１１：ＹＥＳ、Ｓ２１３）。そして、携帯機１１は、その第２の捜索用信号を受信すると（Ｓ２２１：ＹＥＳ）、ＧＰＳ信号を受信して（Ｓ２２３）、その受信したＧＰＳ信号から現在位置を算出すると共に、その算出した現在位置を示す位置データを含んだ位置データ信号を携帯型機器１３へ送信することとなる（Ｓ２２５）。すると、携帯型機器１３は、その携帯機１１からの位置データ信号に基づいて、表示部４１に、その携帯機１１の現在位置情報を表示させることとなる（Ｓ２１５：ＹＥＳ、Ｓ２１７）。このため、使用者は、携帯型機器１３の表示部４１に表示される内容から、携帯機１１の位置を容易に知ることができる。特に、このような第２の捜索機能は、携帯機１１が使用者から比較的遠く離れた場所（詳しくは、ＧＰＳ信号による測位の分解能よりも離れた場所）にある場合に有効である。
【００８７】
尚、本実施形態では、携帯機１１側で、ＧＰＳ信号から現在位置を算出し、その現在位置を示す位置データ信号を携帯型機器１３へ返送するようにしているが、図３（Ｂ）のＳ２２５では、Ｓ２２３で受信したＧＰＳ信号の内容（ＧＰＳ衛星の位置や時刻などの情報）を示す信号を応答信号として送信し、携帯型機器１３側では、その携帯機１１からの信号に基づき携帯機１１の現在位置を算出して、その算出した現在位置を図３（Ａ）のＳ２１７で表示部４１に表示するように構成しても良い。
【００８８】
また、携帯型機器１３に対して第３の捜索用操作を行えば、その携帯型機器１３から携帯機１１へ第３の捜索用信号が送信される（Ｓ３１１：ＹＥＳ、Ｓ３１３）。そして、携帯機１１は、その第３の捜索用信号を受信すると（Ｓ３２１：ＹＥＳ）、ＡＣＫ信号を携帯型機器１３へ送信することとなる（Ｓ３２３）。すると、携帯型機器１３は、その携帯機１１からのＡＣＫ信号の受信強度に基づいて携帯機１１との距離を算出し、その算出した距離の値を表示部４１に表示させることとなる（Ｓ３１５：ＹＥＳ、Ｓ３１７）。このため、使用者は、携帯型機器１３の表示部４１に表示される値から、携帯機１１との距離を知ることができ、その距離をたよりにして携帯機１１を容易に探し出すことができる。特に、このような第３の捜索機能は、使用者と携帯機１１との距離が、第１の捜索機能が有効な距離（例えば数ｍ以内）よりも大きく、且つ、第２の捜索機能が有効な距離（例えば数十ｍ以上）よりは小さい場合に有効である。
【００８９】
尚、携帯型機器１３は、図４（Ａ）のＳ３１７で、表示部４１に、携帯機１１との距離情報として、ＡＣＫ信号の受信強度の値を表示するように構成しても良い。この場合、表示部４１に表示される受信強度の値を距離に換算する換算表を事前に用意しておけば、使用者は、その換算表から、携帯機１１との距離を知ることができる。
【００９０】
また、携帯型機器１３に対して第４の捜索用操作を行えば、その携帯型機器１３から携帯機１１へ第４の捜索用信号が送信される（Ｓ４１１：ＹＥＳ、Ｓ４１３）。そして、携帯機１１は、その第４の捜索用信号を受信すると（Ｓ４２１：ＹＥＳ）、撮影部２９に当該携帯機１１の周辺を撮影させ（Ｓ４２３）、その撮影した画像データを携帯型機器１３へ送信することとなる（Ｓ４２５）。すると、携帯型機器１３は、その携帯機１１からの画像データの表す画像を、表示部４１に表示させる（Ｓ４１５：ＹＥＳ、Ｓ４１７）。このため、使用者は、携帯型機器１３の表示部４１に表示される画像から、紛失した携帯機１１の位置を特定することができる。特に、このような第４の捜索機能によれば、第１〜第３の捜索機能と合わせて用いることで、携帯機１１の位置を一層確実に特定することができる。
【００９１】
一方、本第１実施形態の捜索システムによれば、使用者は、紛失した携帯機１１を探したい場合に、携帯型機器１３が手元になくても、その携帯機１１が使用者の比較的近くにあるのであれば、その携帯機１１を第５の捜索機能によって見つけ出すことができる。
【００９２】
即ち、使用者は、携帯機１１に予め登録しておいた登録音声と同じ言葉を発すれば良い。その使用者の音声が携帯機１１に届いて、登録音声が入力されたと判定されれば（Ｓ５１５：ＹＥＳ）、第１の捜索機能と同様に、携帯機１１から特定の音と振動とが発せられるからである（Ｓ５１７）。尚、携帯機１１は、図６のＳ５１７にて、音と振動との何れか一方だけを発生させるように構成しても良い。
【００９３】
以上のような第１〜第５の捜索機能により、使用者は、紛失した携帯機１１を効率的に探し出すことができるようになる。
尚、上記第１実施形態では、図２（Ａ）のＳ１１１及びＳ１１３と、図３（Ａ）のＳ２１１及びＳ２１３と、図４（Ａ）のＳ３１１及びＳ３１３と、図５（Ａ）のＳ４１１及びＳ４１３との各処理が、捜索用信号送信手段としての処理に相当し、図２（Ｂ）のＳ１２１及びＳ１２３と、図３（Ｂ）のＳ２２１〜Ｓ２２５と、図４（Ｂ）のＳ３２１及びＳ３２３と、図５（Ｂ）のＳ４２１〜Ｓ４２５との各処理が、請求項１の報知用動作実施手段としての処理に相当している。また、音入力部２１が音入力手段に相当し、図６のＳ５１５が、請求項６の判定手段としての処理に相当し、図６のＳ５１７が、請求項６の報知用動作実施手段としての処理に相当している。
【００９４】
［第２実施形態］
次に、第２実施形態の携帯機の捜索システムについて説明する。尚、本第２実施形態の捜索システムは、第１実施形態の捜索システムとハードウェア構成は同じであるため、以下の説明において、各部の符号については、第１実施形態と同じものを用いる。
【００９５】
第２実施形態の捜索システムでは、第１実施形態と比較すると、携帯機１１の制御部３３が、図６の処理に代えて、第６の捜索機能を実現するための図７の処理を実施する点だけが異なっている。
【００９６】
そして、図７に示すように、携帯機１１の制御部３３は、Ｓ５２１にて、音入力部２１により入力される音の大きさが規定値以上であるか否か（換言すれば、規定値以上の音量が入力されたか否か）を判定して、規定値以上の音量が入力されるまで待機する。そして、規定値以上の音量が入力されたと肯定判定すると（Ｓ５２１：ＹＥＳ）、Ｓ５２３に進んで、一定時間の間、音出力部２３から特定の音（本実施形態ではブザー音）を発生させると共に、振動部３１に振動を発生させ、その後、Ｓ５２１へ戻る。
【００９７】
このような第２実施形態の捜索システムによっても、使用者は、紛失した携帯機１１を探したい場合に、携帯型機器１３が手元になくても、その携帯機１１が使用者の比較的近くにあるのであれば、その携帯機１１を第６の捜索機能によって容易に見つけ出すことができる。
【００９８】
即ち、使用者は、声を出したり何かをたたいたりして、上記図７のＳ５２１で肯定判定される程の大きな音を発生させれば、第１実施形態における第５の捜索機能と同様に、携帯機１１から特定の音と振動とが発せられるからである（Ｓ５２３）。
【００９９】
尚、本第２実施形態では、図７のＳ５２１が、請求項７の判定手段としての処理に相当し、図７のＳ５２３が、請求項７の報知用動作実施手段としての処理に相当している。また、図７のＳ５２３では、音と振動との何れか一方だけを発生させるように構成しても良い。
【０１００】
［第３実施形態］
次に、第３実施形態の携帯機の捜索システムについて説明する。
まず図８は、第３実施形態の捜索システムの構成を表す構成図である。尚、図８において、第１実施形態の捜索システムと同じものについては、同一の符号を付しているため、説明は省略する。
【０１０１】
図８に示すように、第３実施形態の捜索システムは、第１実施形態と比較すると、ハーウェア面では、捜索対象となる電子キーとしての携帯機の構成が異なっている。そして、本第３実施形態の携帯機５１は、第１実施形態の携帯機１１と比較すると、音入力部２１、音出力部２３、ＧＰＳ信号受信用のアンテナ２５、ＧＰＳ受信部２７、及び振動部３１を備えておらず、その代わりに、撮影部２９を作動させるために操作される撮影ボタン５３と、当該携帯機５１を探し出すためのデータを記憶しておくための記憶部５５（記憶手段に相当）とを備えている。尚、携帯型機器１３は第１実施形態と同じである。
【０１０２】
次に、携帯型機器１３の制御部４７と、携帯機５１の制御部３３との各々にて、使用者が携帯機５１を容易に見つけ出すことができるようにするために実施される処理の内容について、図９のフローチャートを用い説明する。尚、図９（Ａ）が携帯型機器１３の制御部４７で実施される処理を表し、図９（Ｂ）が携帯機５１の制御部３３で実施される処理を表している。
【０１０３】
まず、図９（Ｂ）に示すように、携帯機５１の制御部３３は、Ｓ６１１にて、使用者により撮影ボタン５３が操作された（押された）か否かを判定し、撮影ボタン５３が操作されていないと判定した場合には（Ｓ６１１：ＮＯ）、そのままＳ６１７へ移行するが、撮影ボタン５３が操作されたと判定したならば（Ｓ６１１：ＹＥＳ）、Ｓ６１３に進んで、撮影部２９を作動させる。そして、続くＳ６１５にて、上記Ｓ６１３で撮影部２９により撮影した画像データを記憶部５５に記憶させ、その後、Ｓ６１７に進む。
【０１０４】
Ｓ６１７では、携帯型機器１３からの後述する捜索用信号がアンテナ１７及び送受信部１９によって受信されたか否かを判定し、その捜索用信号が受信されていなければ、Ｓ６１１へ戻る。
【０１０５】
また、上記Ｓ６１７にて、捜索用信号が受信されたと判定した場合には、Ｓ６１９へ進み、記憶部５５に記憶されている画像データを送受信部１９に与えて、アンテナ１７からその画像データを含んだ画像データ信号を送信させ、その後、Ｓ６１１へ戻る。
【０１０６】
一方、図９（Ａ）に示すように、携帯型機器１３の制御部４７は、Ｓ６２１にて、使用者により捜索用操作が行われたか否かを判定して、その捜索用操作があるまで待機する。尚、捜索用操作としては、操作部４５の捜索用ボタン４３が押されるという操作である。
【０１０７】
そして、捜索用操作が行われたならば（Ｓ６２１：ＹＥＳ）、次のＳ６２３にて、送受信部３９に捜索機能を示す送信対象データを与えて、アンテナ３７からそのデータを含んだ捜索用信号を送信させる。
【０１０８】
すると、携帯機５１が、その捜索用信号を受信して、前述した図９（Ｂ）におけるＳ６１９の処理により、画像データ信号を返送するため、携帯型機器１３の制御部４７は、次のＳ６２５にて、上記Ｓ６２３で捜索用信号を送信してから規定時間以内に、携帯機５１からの画像データ信号がアンテナ３７及び送受信部３９によって受信されたか否かを判定する。
【０１０９】
そして、携帯機５１からの画像データ信号が受信されなければ（Ｓ６２５：ＮＯ）、そのままＳ６２１へ戻るが、画像データ信号が受信されたならば（Ｓ６２５：ＹＥＳ）、Ｓ６２７に進んで、その受信された画像データ信号に含まれている画像データの表す画像（即ち、図９（Ｂ）のＳ６１３で事前に撮影された画像）を表示部４１に表示させる。そして、その後、Ｓ６２１へ戻る。
【０１１０】
このような第３実施形態の捜索システムの使い方は、以下の通りである。
まず、使用者は、携帯機５１を保管する際に、その携帯機５１の撮影ボタン５３を押して、撮影部２９により保管場所を撮影しておく。すると、その撮影した画像データは、携帯機５１内の記憶部５５に記憶されることとなる（Ｓ６１５）。
【０１１１】
そして、使用者は、携帯機５１をどこにしまったのか忘れた際に、携帯型機器１３の捜索用ボタン４３を押せば良い。
つまり、その捜索用ボタン４３の操作により、携帯型機器１３は、捜索用信号を送信することとなり（Ｓ６２１：ＹＥＳ、Ｓ６２３）、携帯機５１は、その捜索用信号を受信すると、記憶部５５に記憶されている画像データ（即ち、携帯機５１の保管場所を撮影しておいた画像データ）を携帯型機器１３へ送信することとなる（Ｓ６１７：ＹＥＳ、Ｓ６１９）。そして、携帯型機器１３は、その画像データを受信して、その画像データの表す画像を表示部４１に表示させるため（Ｓ６２５：ＹＥＳ、Ｓ６２７）、使用者は、その表示部４１に表示される画像から、紛失した携帯機５１の保管場所を知ることができるのである。
【０１１２】
このため、本第３実施形態の捜索システムによっても、使用者は、紛失した携帯機５１を容易に探し出すことができるようになる。
尚、本第３実施形態では、図９（Ｂ）のＳ６１１〜Ｓ６１５の処理が、請求項９の場所情報記憶制御手段としての処理に相当し、図９（Ｂ）のＳ６１７及びＳ６１９の処理が、請求項９の応答手段としての処理に相当している。
【０１１３】
［第３実施形態の変形例］
上記第３実施形態の捜索システムは、以下のように変形しても良い。
まず、携帯機５１の制御部３３で実施される図９（Ｂ）の処理において、Ｓ６１５では、撮影部２９により撮影した画像データを、記憶部５５に記憶させるのではなく、送受信部１９に与えて、アンテナ１７からその画像データを含んだ画像データ信号を送信させる。そして、図９（Ｂ）におけるＳ６１７及びＳ６１９の処理は削除する。尚、この変形例では、Ｓ６１１〜Ｓ６１５の処理が、請求項１０の場所情報送信手段としての処理に相当する。
【０１１４】
また、携帯型機器１３の制御部４７は、この変形例における上記Ｓ６１５で携帯機５１から送信される画像データ信号を、アンテナ３７及び送受信部３９によって受信し、その受信した画像データ信号に含まれている画像データを、当該携帯型機器１３内の記憶部（記憶手段に相当）に記憶させる。
【０１１５】
そして、携帯型機器１３の制御部４７で実施される図９（Ａ）の処理のうち、Ｓ６２３及びＳ６２５の処理は削除し、携帯型機器１３の制御部４７は、図９（Ａ）のＳ６２１にて、捜索用操作が行われたと判定すると（捜索用ボタン４３が押されると）、Ｓ６２７に進んで、当該携帯型機器１３内の記憶部に記憶されている画像データの表す画像を表示部４１に表示させる。
【０１１６】
つまり、この変形例では、携帯機５１の保管場所を撮影した画像データを、携帯機５１側ではなく、携帯型機器１３側の記憶部に記憶しておくようにしている。
そして、このような変形例の捜索システムの使い方も、前述した第３実施形態の捜索システムの使い方と同じである。
【０１１７】
即ち、まず、使用者は、携帯機５１を保管する際に、その携帯機５１の撮影ボタン５３を押して、撮影部２９により保管場所を撮影しておく。すると、その撮影した画像データは、携帯型機器１３へと送信され、その携帯型機器１３内の記憶部に記憶されることとなる。そして、使用者は、携帯機５１をどこにしまったのか忘れた際に、携帯型機器１３の捜索用ボタン４３を押せば、その携帯型機器１３が、記憶部に記憶されている画像データ（即ち、携帯機５１の保管場所を撮影した画像データ）の表す画像を表示部４１に表示させるため、使用者は、その表示部４１に表示される画像から、紛失した携帯機５１の保管場所を知ることができる。
【０１１８】
このような変形例の捜索システムによれば、携帯機５１側に画像データを記憶しておくための記憶部５５を設けなくて良いため、その分、携帯機５１を小型化するのに有利である。
【０１１９】
［第４実施形態］
次に、第４実施形態の携帯機の捜索システムについて説明する。
まず図１０は、第４実施形態の捜索システムの構成を表す構成図である。尚、図１０において、第１及び第３実施形態の捜索システムと同じものについては、同一の符号を付しているため、説明は省略する。
【０１２０】
図１０に示すように、第４実施形態の捜索システムは、第３実施形態と比較すると、ハーウェア面では、捜索対象となる電子キーとしての携帯機の構成が異なっている。そして、本第４実施形態の携帯機５９は、第３実施形態の携帯機５１と比較すると、撮影部２９及び撮影ボタン５３を備えておらず、その代わりに、当該携帯機５９の保管場所の候補がそれぞれ記載された複数の保管場所ボタン６１〜６４を備えている。
【０１２１】
尚、この例において、保管場所ボタン６１〜６４は４つである。そして、そのうちのボタン６１は、「財布」と記載された財布ボタンであり、ボタン６２は、「ズボン」と記載されたズボンボタンであり、ボタン６３は、「カバン」と記載されたカバンボタンであり、ボタン６４は、「上着」と記載された上着ボタンである。一方、携帯型機器１３は第１及び第３実施形態と同じである。
【０１２２】
次に、携帯型機器１３の制御部４７と、携帯機５９の制御部３３との各々にて、使用者が携帯機５９を容易に見つけ出すことができるようにするために実施される処理の内容について、図１１のフローチャートを用い説明する。尚、図１１（Ａ）が携帯型機器１３の制御部４７で実施される処理を表し、図１１（Ｂ）が携帯機５９の制御部３３で実施される処理を表している。
【０１２３】
まず、図１１（Ｂ）に示すように、携帯機５９の制御部３３は、Ｓ７１１にて、使用者により保管場所ボタン６１〜６４の何れかが操作された（押された）か否かを判定し、保管場所ボタン６１〜６４が操作されていないと判定した場合には（Ｓ７１１：ＮＯ）、そのままＳ７１５へ移行する。
【０１２４】
また、上記Ｓ７１１にて、保管場所ボタン６１〜６４の何れかが操作されたと判定したならば（Ｓ７１１：ＹＥＳ）、Ｓ７１３に進んで、今回操作された保管場所ボタン６１〜６４の種類（即ち、「財布」、「ズボン」、「カバン」、及び「上着」のうちの何れかであり、以下、ボタン種類という）を記憶部５５に記憶させ、その後、Ｓ７１５に進む。
【０１２５】
Ｓ７１５では、携帯型機器１３からの後述する捜索用信号がアンテナ１７及び送受信部１９によって受信されたか否かを判定し、その捜索用信号が受信されていなければ、Ｓ７１１へ戻る。
【０１２６】
また、上記Ｓ７１５にて、捜索用信号が受信されたと判定した場合には、Ｓ７１７へ進み、記憶部５５に記憶されているボタン種類を示すデータを送受信部１９に与えて、アンテナ１７からそのデータを含んだボタン種類信号を送信させ、その後、Ｓ７１１へ戻る。
【０１２７】
一方、図１１（Ａ）に示すように、携帯型機器１３の制御部４７は、Ｓ７２１にて、使用者により捜索用操作が行われたか否かを判定して、その捜索用操作があるまで待機する。尚、捜索用操作としては、第３実施形態と同様に、操作部４５の捜索用ボタン４３が押されるという操作である。
【０１２８】
そして、捜索用操作が行われたならば（Ｓ７２１：ＹＥＳ）、次のＳ７２３にて、送受信部３９に捜索機能を示す送信対象データを与えて、アンテナ３７からそのデータを含んだ捜索用信号を送信させる。
【０１２９】
すると、携帯機５９が、その捜索用信号を受信して、前述した図１１（Ｂ）におけるＳ７１７の処理により、ボタン種類信号を返送するため、携帯型機器１３の制御部４７は、次のＳ７２５にて、上記Ｓ７２３で捜索用信号を送信してから規定時間以内に、携帯機５９からのボタン種類信号がアンテナ３７及び送受信部３９によって受信されたか否かを判定する。
【０１３０】
そして、携帯機５９からのボタン種類信号が受信されなければ（Ｓ７２５：ＮＯ）、そのままＳ７２１へ戻るが、ボタン種類信号が受信されたならば（Ｓ７２５：ＹＥＳ）、Ｓ７２７に進んで、その受信されたボタン種類信号に含まれているデータの表すボタン種類（即ち、図１１（Ｂ）のＳ７１１で操作されたと判定された保管場所ボタン６１〜６４の種類）を表示部４１に表示させる。そして、その後、Ｓ７２１へ戻る。
【０１３１】
このような第４実施形態の捜索システムの使い方は、以下の通りである。
まず、使用者は、携帯機５９を保管する際に、保管場所ボタン６１〜６４の何れかを押して、その携帯機５９の保管場所を入力しておく。つまり、携帯機５９を財布に入れておくのであれば、ボタン（財布ボタン）６１を押し、携帯機５９をズボンのポケットに入れておくのであれば、ボタン（ズボンボタン）６２を押し、携帯機５９をカバンに入れておくのであれば、ボタン（カバンボタン）６３を押し、携帯機５９を上着のポケットに入れておくのであれば、ボタン（上着ボタン）６４を押す。すると、その押されたボタン６１〜６４の種類（即ち、携帯機５９の保管場所）が記憶部５５に記憶されることとなる（Ｓ７１３）。
【０１３２】
そして、使用者は、携帯機５９をどこにしまったのか忘れた際に、携帯型機器１３の捜索用ボタン４３を押せば良い。
つまり、その捜索用ボタン４３の操作により、携帯型機器１３は、捜索用信号を送信することとなり（Ｓ７２１：ＹＥＳ、Ｓ７２３）、携帯機５９は、その捜索用信号を受信すると、記憶部５５に記憶されているボタン種類（即ち、携帯機５９の保管場所）を表すボタン種類信号を携帯型機器１３へ送信することとなる（Ｓ７１５：ＹＥＳ、Ｓ７１７）。そして、携帯型機器１３は、その携帯機５９からのボタン種類信号を受信して、その信号中のデータが表すボタン種類を表示部４１に表示させるため（Ｓ７２５：ＹＥＳ、Ｓ７２７）、使用者は、その表示部４１に表示されるボタン種類から、紛失した携帯機５９の保管場所を知ることができるのである。
【０１３３】
このため、本第４実施形態の捜索システムによっても、使用者は、紛失した携帯機５９を容易に探し出すことができるようになる。
尚、本第４実施形態では、保管場所ボタン６１〜６４が、保管場所入力手段に相当している。また、図１１（Ｂ）のＳ７１１及びＳ７１３の処理が、請求項１１の場所情報記憶制御手段としての処理に相当し、図１１（Ｂ）のＳ７１５及びＳ７１７の処理が、請求項１１の応答手段としての処理に相当している。
【０１３４】
［第４実施形態の変形例］
上記第４実施形態の捜索システムは、以下のように変形しても良い。
まず、携帯機５９の制御部３３で実施される図１１（Ｂ）の処理において、Ｓ７１３では、使用者により操作された保管場所ボタン６１〜６４の種類を記憶部５５に記憶させるのではなく、そのボタン種類を示すデータを送受信部１９に与えて、アンテナ１７からそのデータを含んだボタン種類信号を送信させる。そして、図１１（Ｂ）におけるＳ７１５及びＳ７１７の処理は削除する。尚、この変形例では、Ｓ７１１及びＳ７１３の処理が、請求項１２の場所情報送信手段としての処理に相当する。
【０１３５】
また、携帯型機器１３の制御部４７は、この変形例における上記Ｓ７１３で携帯機５９から送信されるボタン種類信号をアンテナ３７及び送受信部３９によって受信し、その受信したボタン種類信号に含まれているデータの表すボタン種類を、当該携帯型機器１３内の記憶部（記憶手段に相当）に記憶させる。
【０１３６】
そして、携帯型機器１３の制御部４７で実施される図１１（Ａ）の処理のうち、Ｓ７２３及びＳ７２５の処理は削除し、携帯型機器１３の制御部４７は、図１１（Ａ）のＳ７２１にて、捜索用操作が行われたと判定すると（捜索用ボタン４３が押されると）、Ｓ７２７に進んで、当該携帯型機器１３内の記憶部に記憶されているボタン種類を表示部４１に表示させる。
【０１３７】
つまり、この変形例では、携帯機５９の保管場所に該当するボタン種類を、携帯機５９側ではなく、携帯型機器１３側の記憶部に記憶しておくようにしている。
そして、このような変形例の捜索システムの使い方も、前述した第４実施形態の捜索システムの使い方と同じである。
【０１３８】
即ち、まず、使用者は、携帯機５９を保管する際に、保管場所ボタン６１〜６４を押して、その携帯機５９の保管場所を入力しておく。すると、その押されたボタン６１〜６４の種類（即ち、携帯機５９の保管場所）を表す信号が携帯型機器１３へと送信され、その信号の表すボタン種類が携帯型機器１３内の記憶部に記憶されることとなる。そして、使用者は、携帯機５１をどこにしまったのか忘れた際に、携帯型機器１３の捜索用ボタン４３を押せば、その携帯型機器１３が、記憶部に記憶されているボタン種類（即ち、携帯機５１の保管場所）を表示部４１に表示させるため、使用者は、その表示部４１に表示される内容から、紛失した携帯機５９の保管場所を知ることができる。
【０１３９】
このような変形例の捜索システムによれば、携帯機５９側に、その携帯機５９の保管場所（上記例ではボタン種類）を記憶しておくための記憶部５５を設けなくて良いため、その分、携帯機５９を小型化するのに有利である。
【０１４０】
以上、本発明の一実施形態について説明したが、本発明はこうした実施形態に何等限定されるものではなく、本発明の要旨を逸脱しない範囲において、種々なる態様で実施し得ることは勿論である。
【０１４１】
例えば、上記第４実施形態及びそれの変形例では、携帯機５９の保管場所を、保管場所ボタン６１〜６４の何れかを押すことにより、択一的に入力するようにしていたが、携帯機５９に文字を入力するためのボタンを設けて、携帯機５９の保管場所を文字で入力するように構成しても良い。
【０１４２】
また、上記実施形態及び変形例の捜索システムは、自動車用の電子キーシステムに用いられるものであったが、本発明は、自動車用以外の電子キーシステムについても同様に適用することができる。
【図面の簡単な説明】
【０１４３】
【図１】第１実施形態の捜索システムの構成を表す構成図である。
【図２】第１の捜索機能を実現するために、携帯型機器（モバイル機器）側と携帯機（電子キー）側とのそれぞれで実行される処理を表すフローチャートである。
【図３】第２の捜索機能を実現するために、携帯型機器（モバイル機器）側と携帯機（電子キー）側とのそれぞれで実行される処理を表すフローチャートである。
【図４】第３の捜索機能を実現するために、携帯型機器（モバイル機器）側と携帯機（電子キー）側とのそれぞれで実行される処理を表すフローチャートである。
【図５】第４の捜索機能を実現するために、携帯型機器（モバイル機器）側と携帯機（電子キー）側とのそれぞれで実行される処理を表すフローチャートである。
【図６】第５の捜索機能を実現するために、携帯機（電子キー）で実行される処理を表すフローチャートである。
【図７】第２実施形態の捜索システムにおいて、第６の捜索機能を実現するために、携帯機（電子キー）で実行される処理を表すフローチャートである。
【図８】第３実施形態の捜索システムの構成を表す構成図である。
【図９】第３実施形態の捜索システムにおいて、携帯型機器（モバイル機器）側と携帯機（電子キー）側とのそれぞれで実行される処理を表すフローチャートである。
【図１０】第４実施形態の捜索システムの構成を表す構成図である。
【図１１】第４実施形態の捜索システムにおいて、携帯型機器（モバイル機器）側と携帯機（電子キー）側とのそれぞれで実行される処理を表すフローチャートである。
【符号の説明】
【０１４４】
１１，５１，５９・・・携帯機、１３・・・携帯型機器、１５ａ・・・ロック用ボタン、１５ｂ・・・アンロック用ボタン、１７，２５，３７・・・アンテナ、１９，３９・・・送受信部、２１・・・音入力部、２３・・・音出力部、２７・・・ＧＰＳ受信部、２９・・・撮影部、３１・・・振動部、３３，４７・・・制御部、４１・・・表示部、４３・・・捜索用ボタン、４５・・・操作部、５３・・・撮影ボタン、５５・・・記憶部、６１〜６４・・・保管場所ボタン
【図１】
2006045993.tif 000003
【図２】
2006045993.tif 000004
【図３】
2006045993.tif 000005
【図４】
2006045993.tif 000006
【図５】
2006045993.tif 000007
【図６】
2006045993.tif 000008
【図７】
2006045993.tif 000009
【図８】
2006045993.tif 000010
【図９】
2006045993.tif 000011
【図１０】
2006045993.tif 000012
【図１１】
2006045993.tif 000013